(57)【要約】【課題】一種の塗膜転写具を提供する。【解決手段】主に芯テープ装置を覆う２つのケーシング、固定台と転写ヘッド単元を有し、該固定台は該２つのケーシング内部に制限され、該固定台の一端に枢着部と係止部を有し、該転写ヘッド単元は該固定台の枢着部に枢設して、該転写ヘッド単元を該固定台に対して回転関係を形成し、かつ該転写ヘッド単元と該固定台との回転関係は該係止部の制限を受け、該転写ヘッド単元を該固定台に枢設することにより、転写ヘッドより塗膜転写具に十分な繰り出し力量を与える。さらに、該転写ヘッド単元の回転角は係止部の制限を受けるため、回転角度超過による塗膜転写具の繰り出す品質への影響を避けることができる。【選択図】図２
2010076425.tif 000002
【特許請求の範囲】
【請求項１】
第１ケーシングは、収容空間と、収容部を含み、
第２ケーシングは、収容空間と、収容部を含み、
芯テープ装置は、該２つのケーシングの該収容空間に収容し、
固定台は、第１端と第２端を有し、該第１端は該２つのケーシングの収容部によって制限を受け、第２端は枢着部と係止部を有し、及び
転写ヘッド単元を有し、該転写ヘッド単元は該固定台の枢着部に枢設することにより、該転写ヘッド単元を該固定台に対して回転関係を形成し、かつ該転写ヘッド単元と該固定台との回転関係は該係止部によって制限されることを特徴とする塗膜転写具。
【請求項２】
該固定台はさらに軸方向の溝を設け、該溝は該第１端と第２端に連絡し、該枢着部は該溝内部に２つの位置固定部を設け、該２つの位置固定部の間に該係止部を形成することを特徴とする請求項１記載の塗膜転写具。
【請求項３】
該転写ヘッド単元は固定リングと転写ヘッドを含め、該固定リングの一端に阻止部を形成し、かつ該固定リングの径方向に２つの結合部を設け、該固定リングを該固定台２つの位置固定部に設け、かつ該固定リングは該位置固定部において回転し、該阻止部は該係止部によって制限され、該転写ヘッドは頭部を有し、該固定リングに対して連動部を有し、該固定リングを該転写ヘッドに装着し、該固定リングに備える２つの結合部は該転写ヘッドの連動部に結合することを特徴とする請求項２記載の塗膜転写具。
【請求項４】
戻り装置を有し、該戻り装置は取付端と戻り端を含め、該転写ヘッドは該当部の反対端に修正部を設け、該取付端は該固定台の第１端に取り付け、該転写ヘッドの修正部は該戻り端に設け、該戻り端によって回転する転写ヘッドを戻すことを特徴とする請求項３記載の塗膜転写具。
【請求項５】
該戻り装置の戻り端に２つの弾性アームを設け、該２つの弾性アームの間に割れ目を形成し、該転写ヘッドの修正部は該割れ目に設けることを特徴とする請求項４記載の塗膜転写具。
【請求項６】
該修正部の断面は多辺形であることを特徴とする請求項５記載の塗膜転写具。
【請求項７】
該固定台の第１端と第２端に段差を形成し、該２つのケーシング収容部の底部に阻止部をそれぞれ設け、該２つのケーシングの阻止部は、該固定台の第１端に設けて、該固定台を該ケーシングにて移動されないことを制限することを特徴とする請求項２記載の塗膜転写具。
【請求項８】
該固定台の第１端に２つの切欠きを設け、該戻り装置の取付端に２つの固定部を設け、該戻り装置の固定部は該固定台の切欠きに設けることを特徴とする請求項４記載の塗膜転写具。
【請求項９】
該２つのケーシングの間はさらにキャップを設け、該キャップは該固定台に装着し、かつ該転写ヘッド単元を覆い、該キャップは選択により該２つのケーシングに固定して、該転写ヘッド単元をかぶせるかまたは該転写ヘッド単元を露出させることを特徴とする請求項１または請求項４記載の塗膜転写具。
【請求項１０】
該２つのケーシングは該収容部の近傍に第１、第２固定部を設け、該キャップに相対する表面に固定部をそれぞれ設け、該キャップの固定部は選択により該２つのケーシングの第１、第２固定部に固定することを特徴とする請求項９記載の塗膜転写具。
【請求項１１】
該キャップは本体と２つの挟み足を含み、該２つの挟み足は該２つのケーシングにあてがい、該キャップが該２つのケーシングからの離脱を防止することを特徴とする請求項９記載の塗膜転写具。
【請求項１２】
該２つの挟み足の軸方向は、貫通溝をそれぞれ形成し、該貫通溝によって該挟み足に弾性を持たせることを特徴とする請求項１１記載の塗膜転写具。
【請求項１３】
該キャップの固定部の両側に溝をそれぞれ設け、該溝によって該固定部に弾性を持たせることを特徴とする請求項１０記載の塗膜転写具。
【請求項１４】
該ケーシングの該収容空間に支え棒を設け、該第２ケーシングの収容空間に軸を設け、該芯テープ装置に貫通孔を設け、該芯テープ装置の貫通孔を該第１ケーシングの支え棒に装着し、該第２ケーシングの軸は該支え棒に結合することを特徴とする請求項１記載の塗膜転写具。
【請求項１５】
該固定台の２つの位置固定部とも連絡しないことを特徴とする請求項２記載の塗膜転写具。
【請求項１６】
該位置固定部は弓溝状を形成することを特徴とする請求項２または請求項１５記載の塗膜転写具。
【請求項１７】
該固定リングの阻止部は密閉の平面形状であることを特徴とする請求項３記載の塗膜転写具。
【請求項１８】
該固定リングの阻止部は切欠き状であることを特徴とする請求項３記載の塗膜転写具。
【請求項１９】
該固定台の第２端の軸方向にほぞ穴を設け、該ほぞ穴の開口部は該枢着部と該係止部を形成し、該転写ヘッド単元は転写ヘッドを含め、該転写ヘッドの一端は、枢軸を有し、該枢軸は該ほぞ穴を通し、該枢軸の横方向に制限ブロックを設け、該枢軸は該枢着部において回転可能とし、該制限ブロックは該係止部の制限を受けることを特徴とする請求項１記載の塗膜転写具。
【請求項２０】
該第１端は少なくとも側壁と端壁を含むことを特徴とする請求項１９記載の塗膜転写具。
【請求項２１】
該側壁、該端壁は該固定台の第１端と垂直に交差するが、該側壁と該端壁は連絡しないことを特徴とする請求項１９記載の塗膜転写具。
【請求項２２】
該固定台は細長い状であり、弾性を有することを特徴とする請求項１９記載の塗膜転写具。
【請求項２３】
該２つのケーシングの突き合わせ結合部に、複数の留め部をそれぞれ設け、２つのケーシングを一体化して留めることを特徴とする請求項１記載の塗膜転写具。
【請求項２４】
該２つのケーシング収容部の底部に阻止部をそれぞれ設け、該２つのケーシングは、該固定台の第１端に係止して、該固定台を該ケーシングにて移動を制限することを特徴とする請求項２０記載の塗膜転写具。
【請求項２５】
該２つのケーシングの間はさらにキャップを設け、該キャップは該固定台に装着し、かつ該転写ヘッドを覆い、該キャップは選択により該２つのケーシングに固定して、該転写ヘッドをかぶせるかまたは該転写ヘッドを露出させることを特徴とする請求項１９記載の塗膜転写具。
【請求項２６】
該２つのケーシングは該収容部の近傍に第１、第２固定部を設け、該キャップに相対する表面に固定部をそれぞれ設け、該キャップの固定部は選択により該２つのケーシングの第１、第２固定部に固定することを特徴とする請求項２５記載の塗膜転写具。
【請求項２７】
該キャップは本体と２つの挟み足を含み、該２つの挟み足は該２つのケーシングにあてがい、該キャップが該２つのケーシングからの離脱を防止することを特徴とする請求項２５記載の塗膜転写具。
【請求項２８】
該２つの挟み足の軸は、貫通溝をそれぞれ形成し、該貫通溝によって該挟み足に弾性を持たせることを特徴とする請求項２７記載の塗膜転写具。
【請求項２９】
該キャップの固定部の両側に溝をそれぞれ設け、該溝によって該固定部に弾性を持たせることを特徴とする請求項２６記載の塗膜転写具。
【請求項３０】
該芯テープ装置に転写テープを設け、該転写テープに転写物を備え、該転写物は該転写ヘッド単元の塗膜を被転写物に転写することを特徴とする請求項１記載の塗膜転写具。
【請求項３１】
該転写物は図案であることを特徴とする請求項３０記載の塗膜転写具。
【請求項３２】
該転写物は修正テープであることを特徴とする請求項３０記載の塗膜転写具。
【発明の詳細な説明】
【技術分野】
【０００１】
本発明は一種の塗膜転写具に係わり、特に一種の転写ヘッドが回転可能な塗膜転写具に係わる。
【背景技術】
【０００２】
塗膜転写具は次第に従来の修正液に取り代わりつつある。コンパクトに出来上がった塗膜転写具は文房具の消耗品である。文房具をよく使用する人々は、文房具が床に落ちると破損することがよく経験されている。塗膜転写具を落ちると、内部構造が壊れて操作の便利を損なうばかりでなく、使用不能になり廃棄処分せざるを得ません。しかしながら、カーボン減量の意識が高まり、この種の構造の弱い塗膜転写具は受け入れられなくなっている。
【先行技術文献】
【特許文献】
【０００３】
【特許文献１】米国特許第７２２８８８２号
【発明の概要】
【発明が解決しようとする課題】
【０００４】
米国特許第７２２８８８２号はＴＡＰＥ  ＤＩＳＰＥＮＳＥＲ  ＷＩＴＨ  Ａ  ＣＵＳＨＩＯＮＥＤ  ＡＰＰＬＩＣＡＴＯＲ  ＴＩＰにおいて、一種の側面修正テープが開示されている。主に転写ヘッド２８を２つのケーシング４７、４９内部に取り付け、該転写ヘッド２８一端の両側にそれぞれ連動部９０を突き出して設け、ケーシング４９開口部の近傍に２本の支え棒９２を設け、該支え棒９２に凹み弓状部を設け、これにより転写ヘッド２８の連動部９０をケーシング４９の支え棒９２の凹み弓状部にあてがい、転写ヘッド２８に制限と固定効果を提供する。
【０００５】
このように、支え棒９２をケーシング４９に結合させる設計は、修正テープの落下または衝撃により、支え棒９２が折れやすい。そして、制限と固定効果をなす支え棒９２が折れると、転写ヘッド２８に支えるものがなくなり、２つのケーシング４７、４９内部に振れを引き起し、使用するときに制御できない状態となり、修正テープが破損品になりかねない。
【０００６】
このほか、前掲の米国特許による修正テープの転写ヘッドに蓋が設けられていないため、転写ヘッドに塵や汚れが付着しやすい。よく見かける設計は、転写ヘッドに移動自在のキャップが設けられている。しかしながら、移動自在のキャップは容積が小さく、紛失しやすいことから、なお欠点が残る。
【０００７】
さらに、前掲の米国特許による修正テープの転写ヘッドは固定式であり、２つのケーシングに対して回転または戻り機構が設けられていないため、転写ヘッドは紙表面に順応して接触できないことから、改善の余地がある。
【課題を解決するための手段】
【０００８】
本発明人は前記した課題を鑑みて、前記の設計課題を確実に解決でき、かつ塗膜転写具の耐用性と利便性を向上し、使用者の期待に満足させる。
【０００９】
先行技術による塗膜転写具の耐用性と利便性を向上できる一種の塗膜転写具を提供することを本発明の主な目的である。
【００１０】
本発明の塗膜転写具による固定台は２つのケーシング内部に取り付けるため、位置ずれが発生しない、転写ヘッドも固定台から離れることなく、構造が安定し緩めによる位置ずれが発生しない。
【００１１】
さらに、転写ヘッドは回転できるため、操作の柔軟性を提供し、紙表面に順応して接触することを実現し、かつ回転後に自動戻り機能を有し、使用者に使いやすい設計を提供できる。
【００１２】
なお、本発明によるキャップは、転写ヘッドをかぶせるかまたは露出させることを自由に選択できる。
【００１３】
本発明による転写ヘッド単元は固定台に枢着されているため、転写ヘッドに塗膜転写具の繰り出し力量を十分に耐えられる。
【００１４】
該転写ヘッド単元の回転角度は係止部によって制限されるため、回転角度超過による塗膜転写具の繰り出し品質への影響がない。
【発明の効果】
【００１５】
その他目的、長所ならびに本発明の新規性は以下の詳細説明と関連図面を添付して、説明する。
【００１６】
前記した説明内容から、本発明は以下の長所をまとめることができる。
【００１７】
イ、  本発明の塗膜転写具による固定台は２つのケーシング内部において位置ずれが発生しない、転写ヘッドも固定台から離れることなく、構造が安定し、緩みによる位置ずれが発生しない。
【００１８】
ロ、  本発明による塗膜転写具の転写ヘッドは回転できるため、操作の柔軟性を提供し、紙表面に順応して接触することを実現し、かつ回転後に自動戻り機能を有し、使用者に使いやすい設計を提供できる。
【００１９】
ハ、  本発明による塗膜転写具のキャップは、転写ヘッドをかぶせるかまたは露出させることを自由に選択できる。
【００２０】
二、  本発明による塗膜転写具の転写ヘッド単元は固定台に枢着されているため、転写ヘッドに塗膜転写具の繰り出し力量を十分に耐えられる。
【００２１】
ホ、  本発明による塗膜転写具の転写ヘッド単元の回転角度は係止部によって制限されるため、回転角度超過による塗膜転写具の繰り出し品質への影響がない。
【００２２】
以上に説明したものは、本発明の好ましい実施例であり、本発明実施の範疇に制限を加わるべきではなく、本発明による数値的の変更又は等価素子の置き換え、若しくは本発明の特許請求の範囲による変更又は修整とも本発明の特許範疇に含まれるものである。
【図面の簡単な説明】
【００２３】
【図１】本発明の塗膜転写具実施例１による立体外観図である。
【図２】本発明の塗膜転写具実施例１による立体分解図である。
【図３】本発明の塗膜転写具実施例１による立体組み合わせ図である。
【図４】本発明の塗膜転写具実施例１による局部素子の立体分解図である。
【図５】本発明の塗膜転写具実施例１による転写ヘッドをキャップから露出する態様図である。
【図６】本発明の塗膜転写具実施例１による転写ヘッドをキャップによって遮蔽される態様図である。
【図７】本発明の塗膜転写具実施例１による転写ヘッドの回転態様図である。
【図８】本発明の塗膜転写具実施例１による転写ヘッドと固定リングの回転態様図である。
【図９】本発明の塗膜転写具実施例１による転写ヘッドの回転と戻り装置の態様図である。
【図１０】本発明の塗膜転写具図７の続き、転写ヘッドが元の位置に戻した態様図である。
【図１１】本発明の塗膜転写具図８の続き、転写ヘッドと固定リングが元の位置に戻した態様図である。
【図１２】本発明の塗膜転写具図９の続き、転写ヘッドが元の位置に戻した態様図である。
【図１３】本発明の塗膜転写具実施例１による転写ヘッドと固定リングの弾性揺動概略図である。
【図１４】本発明の塗膜転写具実施例２による立体外観図である。
【図１５】本発明の塗膜転写具実施例２による立体分解図である。
【図１６】本発明の塗膜転写具実施例２による断面概略図である。
【図１７】本発明の塗膜転写具による図１６が１７−１７断面線に取った断面図である。
【図１８】本発明の塗膜転写具実施例２による動作概略図である。
【図１９】本発明の塗膜転写具図１７の続き、転写ヘッドが時計方向に回転を示す態様図である。
【図２０】本発明の塗膜転写具図１７の続き、転写ヘッドが逆時計方向に回転を示す態様図である。
【図２１】本発明の塗膜転写具実施例３による立体外観図である。
【図２２】本発明の塗膜転写具実施例３による使用態様図である。
【図２３】本発明の塗膜転写具実施例４による使用態様図である。
【発明を実施するための形態】
【実施例】
【００２４】
本発明による技術、手段ならびに効果は、好ましい実施例と図式を合わせて、以下の通り説明する。ただし、本発明の請求範囲はこれらの構造に制限されない。
【００２５】
図１、２は、それぞれ本発明の塗膜転写具実施例１による立体外観図と立体分解図を示す。実施例１による塗膜転写具は、第１ケーシング１０と第２ケーシング２０とを突き合わせ結合し、２つのケーシング１０、２０の間に芯テープ装置３０、固定台４０、転写ヘッド単元、戻り装置７０と、キャップ８０とを含む。
【００２６】
該２つのケーシング１０、２０はそれぞれ第１部位１１、２１と第２部位１２、２２とを含める。該第１ケーシング１０の第１部位１１に収容空間１３を形成し、かつ収容空間１３の内部に支え棒１４を設ける。該第２ケーシング２０の第１部位２１に収容空間２３を形成し、かつ該収容空間２３内部に軸２４を設ける。該２つのケーシング１０、２０の収容空間１３、２３に該芯テープ装置３０を収容する。該芯テープ装置３０の中心部に貫通孔３１を設け、該芯テープ装置３０の貫通孔３１を該第１ケーシング１０の支え棒１４に装着し、該第２ケーシング２０の軸２４を該支え棒１４に結合する。
【００２７】
該２つのケーシング１０、２０の第２部位１２、２２はそれぞれ開口部１５、２５を形成し、該開口部１５、２５を隣接する壁面にそれぞれ対応の第１固定部１６、２６と対応の第２固定部１７、２７を設け、該第２固定部１７、２７と該収容空間１３、２３との間に収容部１８、２８を形成し、該収容部１８、２８の底部に阻止部１９、２９をそれぞれ設ける。
【００２８】
該キャップ８０は本体８１と、２つの挟み足８２とを含める。該本体８１はリング状を形成し、かつ軸方向に通路８１１を設け、該通路８１１は該本体８１の両端に連絡する。該本体８１の外面に２つの固定部８１２を設け、該２つの固定部８１２はそれぞれ異なる表面に設け、該固定部８１２の両側に溝８１３をそれぞれ設け、該溝８１３によって該固定部８１２に弾性を持たせる。該本体８１と該２つの固定部８１２の反対側に同一方向にて、２つの挟み足８２を形成し、該２つの挟み足８２の軸方向に貫通溝８３をそれぞれ形成し、該貫通溝８３によって、該挟み足８２に弾性を持たせる。該キャップ８０は該固定台４０に装着し、該キャップ８０は選択により該２つのケーシング１０、２０において移動し、該キャップ８０が該転写ヘッド５０をかぶせたときに、該２つの挟み足８２は該２つのケーシング１０、２０に係止めて、該キャップ８０を該２つのケーシング１０、２０から離脱することを避ける。該キャップ８０に備える２つの固定部８１２は選択によって、該２つのケーシング１０、２０の第１、第２固定部１６、２６、１７、２７に固定する。
【００２９】
図３、４に、それぞれ本発明の塗膜転写具局部素子による立体図と立体分解図を示す。該固定台４０は第１端４１と第２端４２を含め、第１端４１は密閉の底部４１１と、２つの開放状の頂部４１２を含める。該底部４１１と該頂部４１２を縦方向に延ばすことにより、第１端４１と第２端４２との間に段差を形成する。該２つの頂部４１２に切欠き４１３をそれぞれ設け、該固定台４０の第２端４２に枢着部４５を設ける。該固定台４０はさらに、軸方向の溝４３を設け、該溝４３は第１端４１と第２端４２に連絡し、該枢着部４５は該溝４３内部に備える第２端４２の近傍に２つの位置固定部４５１を設け、該２つの位置固定部４５１は同じの横方向にあるが、互いに連絡されない、２つの位置固定部４５１の間に係止部４５２を設け、かつ該係止部４５１に弓状溝を形成する。該固定台４０は該２つのケーシング１０、２０の収容部１８、２８に設け、かつ該固定台４０の第１端４１は該２つのケーシング１０、２０の阻止部１９、２９によって止められ、該固定台４０を該２つのケーシング１０、２０に制限される。
【００３０】
該転写ヘッド単元は、転写ヘッド５０と固定リング６０を含める。該転写ヘッド５０は頭部５１を有し、該転写ヘッド５０が該頭部５１の反対端に修正部５２を有し、該修正部５２の断面は多辺形を形成し、該頭部５１と該修正部５２との間の横方向に２つの連動部５３を突き出して設け、該連動部５３と該修正部５２との間は細長い胴体部５４を形成する。
【００３１】
該固定リング６０の一端に阻止部６１を形成し、該阻止部６１は密閉の平面形状または切欠き形状のいずれを形成しても良い。本実施例において、切欠き形状を形成する。該切欠き形状によって、該固定リング６０を密閉の開放状に形成し、該固定リング６０の径方向に２つの穴形状の結合部６２を設け、かつ該２つの結合部６２は割れ目を形成する。該固定リング６０は該転写ヘッド５０に装着する共に、該固定リング６０に備える２つの結合部６２は該２つの連動部５３に装着し、該転写ヘッド５０を該固定台４０の溝４３に収納させる。該転写ヘッド５０の頭部５１は該２つのケーシング１０、２０の開口部１５、２５より露出する。該固定リング６０は該固定台４０の位置固定部４５１に収納し、かつ該固定リング６０は該位置固定部４５１に制限されて回転する。該固定リング６０によって、該転写ヘッド５０の左右側への回転ならびに上下方向への振れを補助することにより、該転写ヘッド５０に適切な振れ空間を与える。
【００３２】
該戻り装置７０は取付端７１と戻り端７２を含め、該取付端７１に２つの固定部７１１を設け、該取付端７１を該固定台４０第１端４１の頂部４１２に設けて、該固定部７１１を該切欠き４１３に固定しておく、該戻り装置７０と該固定台４０の分離を防止する。該戻り装置７２に２つの弾性アーム７２１を形成し該固定台４０の溝４３に延ばしておく、該２つの弾性アーム７２１の間に切り溝７２２を形成し、該切り溝７２２は該転写ヘッド５０の修正部５２への装着にふさわしい。該戻り装置７０は固定台４０に取り付け、２つの弾性アーム７２１を該転写ヘッド５０の修正部５２挟み込み、該修正部５２の多辺形設計により、該２つの弾性アーム７２１を該修正部５２に挟み込んで、該修正部５２を回転させ、該転写ヘッド５０を元の位置に戻すと共に、該固定リング６０によって、該係止部４５２係止して該転写ヘッド５０を正確位置に戻す。
【００３３】
本発明による転写ヘッド５０は固定リング６０によって固定台４０内部に制限することに加えて、転写ヘッド５０の修正部５２は戻り装置７０の戻り端７２に設けることによって、該転写ヘッド５０を固定台４０内部へ安定に取り付け、かつ固定台４０を該２つのケーシング１０、２０の収容部１８、２８に設けることで、固定台４０の位置ずれがなく、転写ヘッド５０を固定台４０内部へ安定に取り付けて、構造安定の効果を実現できる。
【００３４】
図５、６に、それぞれ本発明の塗膜転写具のキャップ８０による概略図を示す。本発明による塗膜転写具のキャップ８０の本体８１は該２つのケーシング１０、２０の開口部１５、２５より露出し、かつ該キャップ８０は該転写ヘッド５０にかぶせておく、使用者は該キャップ８０の本体８１を握り、選択により該キャップ８０を移動し、該キャップ８０の固定部８１２が該２つのケーシング１０、２０の第１固定部１６、２６に固定したとき、該キャップ８０は該転写ヘッド５０を完全にかぶせておく、該転写ヘッド５０の露出がなく、汚れの付着も発生しない。該キャップ８０の固定部８１２を該２つのケーシング１０、２０の第２固定部１７、２７に固定すると、該キャップ８０は局部的に該２つのケーシング１０、２０に延ばし、該転写ヘッド５０を露出させて、転写ヘッド５０の操作の目的を実現できる。
【００３５】
図７ないし９に、それぞれ本発明の塗膜転写具による操作態様図を示す。本発明による固定台４０は２つのケーシング１０、２０内部に制限されている（図示しない）ため、使用者が本発明による塗膜転写具を使用するとき、転写ヘッド５０の頭部５１を紙面上へ平らに接触させるため、転写ヘッド５０を該固定台４０に対して回転させ、転写ヘッド５０に弾性を持たせるほか、緩衝効果を有し、頭部５１を紙面上へいっそうに順応できる。転写ヘッド５０の連動部５３は該固定リング６０の結合部６２に設けることにより、該転写ヘッド５０を該固定リング６０に制限される。さらに該固定リング６０は該固定台４０２つの位置固定部４５１に制限されているため、該固定リング６０は該位置固定部４５１にそって、左右側に回転するときに、該係止部４５２に制限されることから、該固定リング６０と該転写ヘッド５０の回転角を制御できる。さらに、該転写ヘッド５０を回転させるとき、該転写ヘッド５０の修正部５２も該戻り装置７０に備える２つの弾性アーム７２１の間の切り溝７２２において回転し、該修正部５２により該２つの弾性アーム７２１を拡張させる。
【００３６】
図１０ないし１２に、それぞれ本発明の塗膜転写具による自動戻り機能の態様図を示す。戻り装置７０は固定部７１１によって、固定台４０の切欠き４１３に固定されるため、戻り装置７０と固定台４０とを結合した後、両者は相対的に移動または回動ができない。転写ヘッド５０の修正部５２によって、該２つの弾性アーム７２１が拡張されたとき、該２つの弾性アーム７２１の弾性戻り働きにより、該転写ヘッド５０の修正部５２を戻して該転写ヘッド５０と該固定リング６０を中央位置に戻される。
【００３７】
図１３に、本発明の塗膜転写具による転写ヘッド５０が固定リング６０に対して弾性揺動の態様図を示す。本発明による転写ヘッド５０の連動部５３は該固定リング６０の結合部６２に枢着し、該転写ヘッド５０の頭部５１は該固定リング６０と該固定台４０に対して上下に揺動することにより、該転写ヘッド５０の頭部５１を紙面により順応させると共に、該転写ヘッド５０に弾性を持たせて、使用するときに転写ヘッド５０に緩衝効果を有する。
【００３８】
図１４ないし１５は、それぞれ本発明の塗膜転写具実施例２による立体外観図と立体分解図を示す。実施例２による塗膜転写具は、第１ケーシング１０ａと第２ケーシング２０とを突き合わせ結合し、２つのケーシング１０ａ、２０ａの間に芯テープ装置３０、固定台４０ａ、転写ヘッド単元と、キャップ８０ａとを含む。
【００３９】
該２つのケーシング１０ａ、２０ａはそれぞれ第１部位１１ａ、２１ａと第２部位１２ａ、２２ａとを含める。該第１ケーシング１０ａの第１部位１１ａに収容空間１３ａを形成し、かつ収容空間１３ａの内部に支え棒１４ａを設ける。該第２ケーシング２０ａの第１部位２１ａに収容空間２３ａを形成し、該収容空間２３ａ内部に軸２４ａを設ける。該２つのケーシング１０ａ、２０ａの収容空間１３ａ、２３ａに該芯テープ装置３０を収容する。該芯テープ装置３０の中心部に貫通孔３１を設け、該芯テープ装置３０の貫通孔３１を該第１ケーシング１０ａの支え棒１４ａに装着し、該第２ケーシング２０ａの軸２４ａを該支え棒１４ａに結合する。
【００４０】
該２つのケーシング１０ａ、２０ａの第２部位１２ａ、２２ａに開口部１５ａ、２５ａをそれぞれ形成し、２つのケーシング１０ａ、２０ａは開口部１５ａ、２５ａの近傍は、それぞれ対応の第１固定部１６ａ、２６ａと、対応の第２固定部１７ａ、２７ａをそれぞれ設け、該開口部１５ａ、２５ａと該収容空間１３ａ、２３ａとの間に収容部１８ａ、２８ａをそれぞれ形成し、該収容部１８ａ、２８ａの底部に阻止部１９ａ、２９ａをそれぞれ設ける。換言すれば、該２つのケーシング１０ａ、２０ａは該収容部１８ａ、２８ａ付近部に該第１、第２固定部１６ａ、２６ａ、１７ａ、２７ａをそれぞれ形成することになる。該２つのケーシング１０ａ、２０ａの突き合わせ結合部に複数の留め部１０１ａ、２０１ａをそれぞれ設けることにより、該２つのケーシング１０ａ、２０ａを留めて結合し一体化する。
【００４１】
該キャップ８０ａは本体８１ａと、２つの挟み足８２ａを含める。該本体８１ａはリング形状を形成し、かつ軸方向に通路８１１ａを設け、該通路８１１ａは該本体８１ａの両端に連絡する。該本体８１ａ両側は一つの方向に向かって延ばして２つの挟み足８２ａを形成し、該２つの挟み足８２ａの軸方向はそれぞれ貫通溝８３ａをそれぞれ形成し、該貫通溝８３ａによって該挟み足８２ａに弾性を持たせる。該挟み足８２ａの末端に２つの固定部８２１ａを設ける。２つの固定部８２１ａは選択により２つのケーシング１０ａ、２０ａの第１、第２固定部１６ａ、２６ａ、１７ａ、２７ａに固定する。
【００４２】
該キャップ８０ａは該固定台４０ａに装着し、該キャップ８０ａは選択により該２つのケーシング１０ａ、２０ａにおいて移動し、該キャップ８０ａによって該転写ヘッド５０ａをかぶせたとき、該２つの挟み足８２ａは該２つのケーシング１０ａ、２０ａを係止し、該キャップ８０ａを該２つのケーシング１０ａ、２０ａから離脱することを防止する。該キャップ８０ａは２つのケーシング１０ａ、２０ａにおいて移動し、かつ該キャップ８０ａに備える２つの固定部８２１ａは該第１、第２固定部１６ａ、２６ａ、１７ａ、２７ａに嵌めこむことにより、該キャップ８０ａを２つの位置にて移動可能とし、選択により該転写ヘッド５０ａをかぶせるかまたは露出させる。
【００４３】
図１６と１７を合わせて参照する。該固定台４０ａは第１端４１ａと第２端４２ａを含め、該固定台４０ａは細長い状であり弾性を有し、第１端４１ａは２つの側壁４１４ａと一つの端壁４１５ａを含める。該側壁４１４ａと該端壁４１５ａと該固定台４０ａの第１端と垂直に交差するが、該側壁４１４ａと該端壁４１５ａとはつながない。該固定台４０ａの両側に突起部４１６ａをそれぞれ設け、該突起部４１６ａは該側壁４１４ａに隣接し、該突起部４１６ａは該キャップ８０ａの貫通溝８３ａを貫通して設ける。該固定台４０ａ第２端４２ａの軸方向にほぞ穴４４ａを設け、該ほぞ穴４４ａの内部にキー４４１ａを設け、該ほぞ穴４４ａの開口端に枢着部４４２ａと係止部４４３ａをそれぞれ設け、該枢着部４４２ａは円形穴を形成し、該係止部４４３ａは該枢着部４４２より延伸されたキー溝である。該固定台４０ａの第１端４１ａは該２つのケーシング１０ａ、２０ａの収容部１８ａ、２８ａに設け、かつ該２つのケーシング１０ａ、２０ａの阻止部１９ａ、２９ａに止められることにより、該固定台４０ａを該２つのケーシング１０ａ、２０ａに制限させる。
【００４４】
該転写ヘッド単元は、転写ヘッド５０ａを含め、該転写ヘッド５０ａは頭部５１ａを有し、該転写ヘッド５０ａは該頭部５１ａの反対側に枢軸５５ａを設け、該枢軸５５ａの末端部に引っ掛け部５５１ａを設け、該引っ掛け部５５１ａは該ほぞ穴４４ａのキー４４１ａに引っ掛ける。該枢軸５５ａの横方向に制限ブロック５６ａを設け、該枢軸５５ａと該制限ブロック５６ａは該固定台４０ａのほぞ穴４４ａを通し、該枢軸５５ａは該枢着部４４２ａを通すことにより、該転写ヘッド５０ａを該ほぞ穴４４ａにおいて回転できるようにし、該制限ブロック５６ａは該係止部４４３ａに設けて、該転写ヘッド５０ａと該固定台４０ａとの回転関係を制限する。これにより、該転写ヘッド５０ａの回転角は係止部４４３ａの制限を受けて、該転写ヘッド５０ａの回転角度超過による修正テープ繰り出す品質への影響を防止する。
【００４５】
図１８ないし２０に示す通り、該転写ヘッド５０ａは左右側に所定角度を回転可能とし、該転写ヘッド５０ａの頭部５１ａが紙面に接触したとき、調節を行い紙面に順応させる。本実施例において、該転写ヘッド５０ａは左右に各１５度を回転できる。
【００４６】
図２１と図２２に、本発明による塗膜転写具実施例３の立体外観図と使用態様図を示す。実施例３は前記の実施例１にほぼ同じだが、特徴として、該芯テープ装置３０（図２を参照）に転写テープ９０ｃが設けられている。該転写テープ９０ｃに転写物９１ｃを有し、該転写物９１ｃは、塗膜転写具の転写ヘッド５０ｃにより、塗膜を転写物９２ｃに転写される。本実施例において、該転写物９１ｃは図案または図柄であり、被転写物９２ｃに図案または図柄を転写して、被転写物９２ｃの美観性を向上できる。
【００４７】
図２３に、本発明による塗膜転写具実施例４の使用態様図を示す。実施例４は前記の実施例３にほぼ同じだが、特徴として、該芯テープ装置３０（図２を参照）に転写テープ９０ｄが設けられている。該転写テープ９０ｄに転写物９１ｄを有し、該転写物９１ｄは塗膜転写具の転写ヘッド５０ｄにより、塗膜を被転写物９２ｄに転写される。本実施例において、該転写物９２ｄは転写テープであり、被転写物９２ｄに帯状の転写テープを転写して、被転写物９２ｄの文字または図案を被せるように修正する。
【００４８】
本発明による塗膜転写具は、芯テープ装置を覆う２つのケーシング、固定台と転写ヘッド単元を有し、該固定台は該２つのケーシング内部に制限され、該固定台の一端に枢着部と係止部を有し、該転写ヘッド単元は該固定台の枢着部に枢設して、該転写ヘッド単元を該固定台に対して回転関係を形成し、かつ該転写ヘッド単元と該固定台との回転関係は該係止部の制限を受ける。本発明による転写ヘッド単元を該固定台に枢設することにより、転写ヘッドより塗膜転写具に十分な繰り出し力量を与える。さらに、該転写ヘッド単元の回転角は係止部の制限を受けるため、回転角度超過による塗膜転写具の繰り出す品質への影響を避けることができる。
【符号の説明】
【００４９】
１０      第１ケーシング
１１      第１部位
１２      第２部位
１３      収容空間
１４      支え棒
１５      開口部
１６      第１固定部
１７      第２固定部
１８      収容部
１９      阻止部
２０      第２ケーシング
２１      第１部位
２２      第２部位
２３      収容空間
２４      軸
２５      開口部
２６      第１固定部
２７      第２固定部
２８      収容部
２９      阻止部
３０      芯テープ装置
３１      貫通孔
４０      固定台
４１      第１端
４１１    底部
４１２    頂部
４１３    切欠き
４２      第２端
４３      溝
４５      枢着部
４５１    位置固定部
４５２    係止部
５０      転写ヘッド
５１      頭部
５２      修正部
５３      連動部
５４      胴体部
６０      固定リング
６１      阻止部
６２      結合部
７０      戻り装置
７１      取付端
７１１    固定部
７２      戻り端
７２１    弾性アーム
７２２    切り溝
８０      キャップ
８１      本体
８１１    通路
８１２    固定部
８１３    溝
８２      挟み足
８３      貫通溝
１０ａ    第１ケーシング
１１ａ    第１部位
１２ａ    第２部位
１３ａ    収容空間
１４ａ    支え棒
１５ａ    開口部
１６ａ    第１固定部
１７ａ    第２固定部
１８ａ    収容部
１９ａ    阻止部
１０１ａ  留め部
２０ａ    第２ケーシング
２１ａ    第１部位
２２ａ    第２部位
２３ａ    収容空間
２４ａ    軸
２５ａ    開口部
２６ａ    第１固定部
２７ａ    第２固定部
２８ａ    収容部
２９ａ    阻止部
２０１ａ  留め部
４０ａ    固定台
４１ａ    第１端
４１４ａ  側壁
４１５ａ  端壁
４１６ａ  突起部
４２ａ    第２端
４４ａ    ほぞ穴
４４１ａ  キー
４４２ａ  枢着部
４４３ａ  係止部
５０ａ    転写ヘッド
５０ｃ    転写ヘッド
５０ｄ    転写ヘッド
５１ａ    頭部
５５ａ    枢軸
５５１ａ  引っ掛け部
５６ａ    制限ブロック
８０ａ    キャップ
８１ａ    本体
８１１ａ  通路
８２ａ    挟み足
８２１ａ  固定部
８３ａ    貫通溝
９０ｃ    転写テープ
９０ｄ    転写テープ
９１ｃ    転写物
９１ｄ    転写物
９２ｃ    被転写物
９２ｄ    被転写物
【図１】
2010076425.tif 000003
【図２】
2010076425.tif 000004
【図３】
2010076425.tif 000005
【図４】
2010076425.tif 000006
【図５】
2010076425.tif 000007
【図６】
2010076425.tif 000008
【図７】
2010076425.tif 000009
【図８】
2010076425.tif 000010
【図９】
2010076425.tif 000011
【図１０】
2010076425.tif 000012
【図１１】
2010076425.tif 000013
【図１２】
2010076425.tif 000014
【図１３】
2010076425.tif 000015
【図１４】
2010076425.tif 000016
【図１５】
2010076425.tif 000017
【図１６】
2010076425.tif 000018
【図１７】
2010076425.tif 000019
【図１８】
2010076425.tif 000020
【図１９】
2010076425.tif 000021
【図２０】
2010076425.tif 000022
【図２１】
2010076425.tif 000023
【図２２】
2010076425.tif 000024
【図２３】
2010076425.tif 000025